(57)【特許請求の範囲】
【請求項１】
光透過性を備える文字板と、
前記文字板の下に配置され、放射電極を備える円偏波アンテナを含むモジュールと、
前記文字板と前記モジュールとの間に配置されるソーラーパネルと、
を備え、
前記ソーラーパネルは、複数のソーラーセルと、前記放射電極に対応する位置に配置される非発電部とを、共通の基板上に備え、
前記非発電部は、
前記放射電極の周縁部に沿って配置される非導電性材料からなる非導電性領域と、
前記非導電性領域よりも内側に配置され、前記ソーラーセルと同様の構成を具備するダミーセルと、を備えていることを特徴とする電子機器。
【請求項２】
前記非導電性領域は、前記放射電極の周縁部に対応する位置よりも外側に配置される環帯状の外側領域と、当該位置よりも内側に配置される環帯状の内側領域とから構成されることを特徴とする請求項１に記載の電子機器。
【請求項３】
前記外側領域の幅が前記内側領域の幅よりも広いことを特徴とする請求項２に記載の電子機器。
【請求項４】
前記ダミーセルの上面に、前記非電導性領域を構成する非電導性材料が被覆されていることを特徴とする請求項１から請求項３のいずれか一項に記載の電子機器。
【請求項５】
前記非発電部の周縁部が周期的なパターン形状に形成されていることを特徴とする請求項１から請求項４のいずれか一項に記載の電子機器。
【請求項６】
放射電極を備えるアンテナを含むモジュールと、
前記モジュールの上に配置されるソーラーパネルと、
を備え、
前記ソーラーパネルは、複数のソーラーセルと、前記放射電極に対応する位置に配置される非発電部と、を備え、
前記非発電部は、
前記放射電極の周縁部に沿って配置される非導電性材料からなる非導電性領域を備えていることを特徴とする電子機器。
【請求項７】
前記非発電部は、
前記非導電性領域よりも内側に配置され、前記ソーラーセルと同様の構成を具備するダミーセルとを備えていることを特徴とする請求項６に記載の電子機器。
【発明の詳細な説明】
【技術分野】
【０００１】
本発明は、電子機器に関し、特にＧＰＳ電波を受信して時刻修正を行う電子機器に関するものである。
【背景技術】
【０００２】
従来、世界中どこでも正確な時刻に時刻修正することが可能な電子機器として、例えばＧＰＳ（Global Positioning System）を利用した時計（以下「ＧＰＳ時計」という。）が開発されている（例えば、特許文献１参照）。
ＧＰＳ時計は、地球上空の軌道を周回する人工衛星（ＧＰＳ衛星）から送信される電波（以下「ＧＰＳ電波」という。）を受信して自己の位置を測位するＧＰＳを利用し、当該ＧＰＳ電波に重畳されている正確な時刻情報を取得して、時刻修正を行う時計である。
ＧＰＳ電波は円偏波のマイクロ波であり、これを受信するアンテナとしてはパッチアンテナが小型で受信性能が高く、最も適している。
【０００３】
また、光を受光して発電するソーラーパネルを備える電子機器が広く知られている。このような電子機器は、ソーラーパネルにより発電して二次電池に充電させることにより、電池交換を行うことなく長期間使用することが可能である。
例えばＧＰＳ時計にソーラーパネルを備えれば、時刻修正も電池交換も不要となり、ユーザにとって扱いやすく便利な時計を実現することができる。
【０００４】
しかし、ソーラーパネルにはアルミニウム導体等の導電性材料で形成された金属電極、半導体層及び透明電極が設けられている。このため、アンテナの上方にソーラーパネルを配置すると、この導電性材料の影響によって著しくアンテナ特性（アンテナの電波受信性能）が劣化してしまう。
このため、例えば特許文献１には、ソーラーパネルにおけるアンテナに対応する部分に切り欠きを設けて、アンテナの上方にソーラーパネルが配置されないようにし、アンテナ特性の劣化を抑える構成が提案されている。
【０００５】
ところが、特許文献１に記載の構成では、アンテナ特性の劣化は抑制できるものの、ソーラーパネルを切り欠いた部分が文字板側から透けて見えやすいために、デザイン性を損なうという問題がある。
そこで、例えば特許文献２には、ソーラーパネルにおけるアンテナに対応する部分に切り欠きを設けるとともに、この切り欠き部分に遮蔽シートを配置することで、当該切り欠き部分を文字板側から見えにくくする構成が提案されている。
【先行技術文献】
【特許文献】
【０００６】
【特許文献１】特開２０１０−９６７０７号公報
【特許文献２】特開２０１２−２１１８９５号公報
【発明の概要】
【発明が解決しようとする課題】
【０００７】
しかしながら、特許文献２に記載の構成では、ソーラーパネルを基板から切り欠いているために、この切り欠き部分に設けた遮蔽シートと非切り欠き部分との間に段差や隙間が生じやすい。そのため、見る角度によってはこの段差や隙間が文字板側から目立って見えてしまい、やはりデザイン性を損なってしまう。
【０００８】
本発明は以上のような事情に鑑みてなされたものであり、ＧＰＳ電波を受信する円偏波アンテナのアンテナ特性の劣化を回避することができ、デザイン性にも優れる電子機器を提供することを目的とするものである。
【課題を解決するための手段】
【０００９】
前記課題を解決するために、本発明に係る電子機器は、
光透過性を備える文字板と、
前記文字板の下に配置され、放射電極を備える円偏波アンテナを含むモジュールと、
前記文字板と前記モジュールとの間に配置されるソーラーパネルと、
を備え、
前記ソーラーパネルは、複数のソーラーセルと、前記放射電極に対応する位置に配置される非発電部とを、共通の基板上に備え、
前記非発電部は、
前記放射電極の周縁部に沿って配置される非導電性材料からなる非導電性領域と、
前記非導電性領域よりも内側に配置され、前記ソーラーセルと同様の構成を具備するダミーセルと、を備えていることを特徴とする。
【発明の効果】
【００１０】
本発明によれば、ＧＰＳ電波を受信する円偏波アンテナのアンテナ特性の劣化を回避することができ、デザイン性にも優れるという効果を奏する。
【図面の簡単な説明】
【００１１】
【図１】第１の実施形態における時計の分解斜視図である。
【図２】第１の実施形態におけるソーラーパネルの平面図である。
【図３】図２におけるIII−III線に沿うソーラーパネルの断面図である。
【図４】図３に示すソーラーパネルの一変形例を示す断面図である。
【図５】第２の実施形態におけるソーラーパネルの平面図である。
【図６】第３の実施形態におけるソーラーパネルの平面図である。
【図７】図６に示すソーラーパネルの一変形例を示す平面図である。
【発明を実施するための形態】
【００１２】
［第１の実施形態］
図１から図３を参照しつつ、本発明に係る電子機器の第１の実施形態について説明する。
なお、以下に述べる実施形態には、本発明を実施するために技術的に好ましい種々の限定が付されているが、本発明の範囲を以下の実施形態及び図示例に限定するものではない。
【００１３】
本実施形態では、電子機器が指針を運針させて時刻等の表示を行うアナログ式の時計である場合について説明する。
図１は、本実施形態における時計の分解斜視図である。
図１に示すように、本実施形態の時計１００は、文字板１と、円偏波アンテナ４を含むモジュール３と、ソーラーパネル５と、を備えている。
また、時計１００は、ソーラーパネル５によって発電された電力が充電され、時計１００の電源部を構成する図示しない二次電池を備えている。
これらの文字板１、モジュール３、円偏波アンテナ４、ソーラーパネル５及び二次電池は、図示しないケースに収納されている。
【００１４】
本実施形態において、文字板１は、時計１００における視認側に配置されており、時針や分針等の指針２によって時刻を表示させるアナログ式の文字板である。
文字板１のほぼ中央部には、指針２が取り付けられる指針軸３１を挿通させる貫通孔１１が形成されている。
本実施形態の時計１００は、後述するようにマイクロ波であるＧＰＳ電波を受信する円偏波アンテナ４を備えている。このため、文字板１は、マイクロ波を透過させる非金属材料で形成されていることが好ましく、例えば樹脂やガラス等により形成される。
また、時計１００は、光を受光して発電するソーラーパネル５を備えている。このため、文字板１は、透明又は半透明の光透過性を有する材料で形成されている。
なお、文字板１は、例えば透明又は半透明の樹脂やガラス等で形成された基材の表面に、マイクロ波を減衰させず光の透過を妨げない程度の厚みの金属膜を蒸着したり、各種印刷を施したものであってもよい。
【００１５】
モジュール３は、文字板１の下方（すなわち、時計１００における裏面側）に配置され、例えば指針２を運針させるための輪列機構やモータ等で構成される時計ムーブメント、円偏波アンテナ４に接続された通信モジュール、指針２による時刻表示を行わせるための制御回路等の各種電子部品を搭載した回路基板等（いずれも図示せず）が、樹脂等で形成された図示しないハウジング内に収められたものである。
本実施形態の時計１００に設けられている制御回路は、ＧＰＳ電波の中に含まれる時刻情報等を用いて時計１００内部の時刻を正確な時刻に修正する機能を有している。
【００１６】
本実施形態では、モジュール３のほぼ中央部に、ムーブメント側から上方に向けて突出する指針軸３１が設けられている。
指針軸３１は、時針用、分針用、秒針用等の複数の回転軸が同一軸上に重ねて配置されたものであり、後述するソーラーパネル５の貫通孔５１及び文字板１の貫通孔１１に挿通されて、各回転軸にこれと対応する指針２（例えば時針、分針、秒針）が接続されている。
ムーブメントの動作によって指針軸３１が回転すると、指針軸３１の各回転軸に取り付けられた各種指針２が、指針軸３１の軸周りに文字板１の上面をそれぞれ個別に回転するようになっている。
【００１７】
また、モジュール３の外周に沿う一端部には、円偏波アンテナ４が嵌装されるアンテナ嵌装部３２が形成されている。
アンテナ嵌装部３２は円偏波アンテナ４の外形形状に沿う形状の切欠き部又は凹部である。
なお、アンテナ嵌装部３２内に円偏波アンテナ４が嵌装された状態において、モジュール３の上面と円偏波アンテナ４の上面とはほぼ面一となることが好ましい。
【００１８】
円偏波アンテナ４は、円偏波のマイクロ波であるＧＰＳ電波（すなわち、ＧＰＳ衛星から送信される時刻情報等を含む電波）を受信可能なものであり、例えばパッチアンテナが好適に用いられる。
ＧＰＳ電波には、各ＧＰＳ衛星に搭載されている高精度原子時計による時刻情報と、約６日毎に更新される全衛星の概略精度の天体暦（すなわち、軌道情報）と、約９０分毎に更新される衛星自身の天体暦とを含むデータが含まれており、各ＧＰＳ衛星は、Ｌ１（１５７５．４２ＭＨｚ）又はＬ２（１２２７．６０ＭＨｚ）の周波数の電波（マイクロ波）によって、これらの情報を地上に送信している。
時計１００は、円偏波アンテナ４により複数のＧＰＳ衛星のうちの少なくともいずれか１つからＧＰＳ電波を受信して、その中に含まれる時刻情報等を用いて時計１００内部の時刻を正確な時刻に修正することができる。
また、ＧＰＳ電波には、上記のように各ＧＰＳ衛星の軌道上の位置を示す軌道情報も含まれている。このため、時計１００は、複数のＧＰＳ衛星からそれぞれ送信されたＧＰＳ電波を円偏波アンテナ４によって受信し、その中に含まれる時刻情報及び軌道情報等を用いて測位計算を行うことも可能である。
【００１９】
図１に示すように、本実施形態の円偏波アンテナ４は、平面視において矩形に形成され、基台４１と基台４１の上に配置された放射電極４２（放射素子）とを備えている。なお、円偏波アンテナ４の形状は図示例に限定されない。
基台４１は、例えばセラミック等の誘電材料により形成されている。
放射電極４２は、例えば所定厚さの銀箔、金属板又は金属膜等で構成されている。
放射電極４２の大きさ（各辺の長さ等）は、円偏波アンテナ４によって受信すべき電波の周波数等に基づいて最適化されるものであり、本実施形態では、ＧＰＳ電波の周波数帯において最も高いアンテナ特性を示すように調整されている。
また、円偏波アンテナ４において円偏波特性を有する位置、すなわち、インピーダンス整合が図れる位置には、放射電極４２への給電を行う給電点４３が設けられている。
なお、放射電極４２に給電する方式は特に限定されない。
また、給電点４３に対応する位置に、放射電極４２に給電する図示しない給電部材（例えば、給電ピンや同軸ケーブル等）が挿通される図示しない貫通孔を円偏波アンテナ４の厚み方向に貫通して形成してもよい。
【００２０】
前述のように、本実施形態の円偏波アンテナ４は、モジュール３に設けられているアンテナ嵌装部３２に嵌装されている。
アンテナ嵌装部３２に嵌装された状態において、円偏波アンテナ４は、指針軸３１を避けた位置に配置される（図２参照）。なお、円偏波アンテナ４を設ける位置や配置する向きは図示例に限定されない。
【００２１】
円偏波アンテナ４は、放射電極４２の周縁部（端部）４２ａから放射パターンが広がっていく。
本実施形態では、放射電極４２はほぼ正方形に形成されており、各辺（周縁部４２ａ）から広がる放射パターンが円偏波アンテナ４のアンテナ特性（アンテナの電波受信性能）に大きく影響する。
このため、円偏波アンテナ４のアンテナ特性を良好にするためには、放射電極４２の周縁部４２ａからの放射パターンの広がりを阻害しないことが重要である。
【００２２】
ソーラーパネル５は、光を受光して発電するものであり、ソーラーパネル５により発電された電力は二次電池に充電される。
本実施形態のソーラーパネル５は、文字板１とモジュール３との間に配置され、文字板１の面方向の面積に対応した面積を有している。
本実施形態の文字板１は、前述のように光透過性を有する材料で形成されており、ソーラーパネル５の面積を文字板１の面方向の面積に対応させることで、ソーラーパネル５の受光面積を最大限広く確保することができる。
なお、ソーラーパネル５の形状等は特に限定されない。ソーラーパネル５は、文字板１の面方向の面積にほぼ対応した面積を有し、文字板１とほぼ重なり合うものであればよく、その面積や形状が文字板１の面積や形状と一致していなくてもよい。
【００２３】
図２は、本実施形態におけるソーラーパネル５の平面図であり、図３は、図２におけるIII−III線に沿うソーラーパネル５の断面図である。
図１及び図２に示すように、ソーラーパネル５のほぼ中央部には、指針軸３１を挿通させる貫通孔５１が設けられている。
本実施形態において、ソーラーパネル５は、受光部である複数のソーラーセル５０（本実施形態では、６つのソーラーセル５０ａ〜５０ｆ）のほかに、受光・発電を行わない非発電部５７を有している。
【００２４】
非発電部５７は、円偏波アンテナ４の放射電極４２に対応する位置に配置されており、本実施形態では、ソーラーセル５０と同様の構成（後述の積層構造）を有する疑似的な受光部であるダミーセル５７１と、その周囲を囲う非導電性材料からなる非導電性領域５７２とを有している。
【００２５】
ここで「放射電極４２に対応する位置」とは、放射電極４２の上方位置であって、放射電極４２とほぼ重なり合う位置である。
前述のように、円偏波アンテナ４は、放射電極４２の周縁部４２ａから放射パターンが広がっていくため、放射電極４２の周縁部４２ａが電波の透過を阻害する部材によって覆われると、円偏波アンテナ４のアンテナ特性（電波受信性能）が劣化する。
これを防止するため、本実施形態では、放射電極４２の上方位置に配置される非発電部５７のうち、非導電性材料からなる非導電性領域５７２が、放射電極４２の周縁部４２ａに沿ってその上方を覆うように配置されている。これにより、非導電性領域５７２よりも内側に配置されるダミーセル５７１が放射電極４２よりも小さく形成され、導電性部材を含む当該ダミーセル５７１によって放射電極４２の周縁部４２ａが覆われないようにしている。
具体的には、本実施形態の非導電性領域５７２は、放射電極４２の周縁部４２ａに対応する位置よりも外側に配置された矩形環帯状の外側領域５７２ａと、当該位置よりも内側に配置された矩形環帯状の内側領域５７２ｂとから構成されている。外側領域５７２ａの幅Ｗａは内側領域５７２ｂの幅Ｗｂよりも広く形成されており、本実施形態では、外側領域５７２ａの幅Ｗａが約２ｍｍ、内側領域５７２ｂの幅Ｗｂが約１ｍｍとなっている。例えば、円偏波アンテナ４の放射電極４２が１１．５ｍｍ四方の正方形である場合に、外側領域５７２ａ及び内側領域５７２ｂをこの各幅Ｗａ，Ｗｂとすれば、円偏波アンテナ４のアンテナ特性の劣化を回避することができる。
なお、非導電性領域５７２の幅や形状等は、ここに例示したものに限定されず、適宜設定される。また、非導電性領域５７２は、ダミーセル５７１が放射電極４２の周縁部４２ａよりも内側に配置されるように形成されることが好ましいが、ダミーセル５７１と放射電極４２の上面との距離によっては、当該ダミーセル５７１が放射電極４２とほぼ重なり合う程度の大きさであっても（すなわち、内側領域５７２ｂが殆ど無くても）放射電極４２の周縁部４２ａを完全に覆うことはなく、円偏波アンテナ４のアンテナ特性は維持される。
【００２６】
ソーラーパネル５は、図３に示すように、樹脂基板５３の上に、各ソーラーセル５０及びダミーセル５７１を構成する金属電極５４，半導体層５５及び透明電極５６がこの順に積層され、さらにその上に保護層（保護フィルム）５８が積層された構造となっている。また、各ソーラーセル５０を構成する金属電極５４，半導体層５５及び透明電極５６からなる積層構造の側面には、絶縁層５９が配置されている。
【００２７】
樹脂基板５３は、フレキシブルなフィルム状の基板である。樹脂基板５３を形成する材料は特に限定されないが、例えばプラスチック等で形成される。
金属電極５４は、例えばアルミニウム導体等の金属材料を含んで形成されている。なお、金属電極５４を形成する材料はこれに限定されない。
半導体層５５は、例えばアモルファスシリコン（a-Si:H）等で形成されている。半導体層５５としては、例えばｐ型半導体とｎ型半導体とが接合されたｐｎ接合型の半導体が用いられる。
金属電極５４や半導体層５５は、例えば、樹脂基板５３の上に蒸着等の手法により積層形成される。なお、樹脂基板５３上に金属電極５４や半導体層５５を設ける手法はこれに限定されない。
また、透明電極５６は、例えば、酸化亜鉛、酸化インジウム、酸化スズ等をガラス等の基板上に結晶化させることで形成されている。なお、透明電極５６を形成する材料や形成手法はこれに限定されない。
【００２８】
また、ソーラーパネル５のうち、ダミーセル５７１の周囲を囲う非導電性領域５７２は、ダミーセル５７１の周囲の金属電極５４、半導体層５５及び透明電極５６を除去した後に、この除去部をダミーセル５７１（ソーラーセル５０）と同系色の非導電性材料で目隠し印刷することによって形成されている。
このとき、非導電性領域５７２とソーラーセル５０及びダミーセル５７１との間には、僅かな隙間を設けることが好ましい。このような隙間を設けることで、非導電性領域５７２の上面とソーラーセル５０及びダミーセル５７１の各上面との間に段差が生じた場合でも、この段差を目立ちにくくすることができる。
なお、金属電極５４、半導体層５５及び透明電極５６を除去する手法は特に限定されず、例えばレーザーによる加工処理等が用いられる。さらに言えば、積層後の金属電極５４、半導体層５５及び透明電極５６を除去するのではなく、非導電性領域５７２を設ける部分（すなわち、放射電極４２の周縁部４２ａの上方に位置する部分）を避けて金属電極５４、半導体層５５及び透明電極５６を積層することとしてもよい。
【００２９】
本実施形態において、６つのソーラーセル５０ａ〜５０ｆは、図１及び図２に示すように、それぞれの出力電流がほぼ等しくなるようにほぼ等面積に形成されている。
ソーラーセル５０ａ〜５０ｆは直列接続されており、１つのソーラーパネルとして機能するようになっている。
具体的には、ソーラーセル５０ａは接続部５２ａにおいて隣接するソーラーセル５０ｂと電気的に接続され、ソーラーセル５０ｂは接続部５２ｂにおいて隣接するソーラーセル５０ｃと電気的に接続されている。同様にして、ソーラーセル５０ｃ〜５０ｅは、接続部５２ｃ〜５２ｆにおいて隣接するソーラーセル５０ｄ〜５０ｆと電気的に接続されている。
なお、例えばソーラーセル５０ａ側の接続部５２ｆとソーラーセル５０ｆ側の接続部５２ｆとはそれぞれ独立しており、各接続部５２ｆ，５２ｆにはそれぞれ図示しないコネクタ（接続部材）が接続される。そして、このコネクタが図示しない回路基板上の＋電極・−電極にそれぞれ接続されることにより、ソーラーパネル５が回路基板と電気的に接続される。また、回路基板と接続される接続部は接続部５２ｆ，５２ｆに限定されず、いずれかの接続部がこのような構成を有していればよい。
なお、接続部５２ａ〜５２ｆの位置や形状は図示例に限定されない。
【００３０】
次に、本実施形態における時計１００の作用について説明する。
本実施形態における時計１００を組み立てる際は、まず複数のソーラーセル５０及びダミーセル５７１に分割されたソーラーパネル５を形成する。それから、ソーラーパネル５のうち、ダミーセル５７１の周囲の金属電極５４、半導体層５５及び透明電極５６をレーザー加工などで除去し、この除去部を非導電性材料で目隠し印刷して非導電性領域５７２を形成する。
そして、各ソーラーセル５０ａ〜５０ｆの受光面を各接続部５２ａ〜５２ｆにおいて直列接続するとともに、いずれかの接続部５２ａ〜５２ｆ（例えばソーラーセル５０ａ側に設けられた接続部５２ｆとソーラーセル５０ｆ側に設けられた接続部５２ｆ）にそれぞれ図示しないコネクタ（接続部材）を接続し、このコネクタを図示しない回路基板上の＋電極・−電極にそれぞれ接続する。これにより、ソーラーパネル５が回路基板と電気的に接続され、ソーラーパネル５において発電された電力が二次電池に充電可能な状態となる。
【００３１】
円偏波アンテナ４をモジュール３のアンテナ嵌装部３２に嵌装し、円偏波アンテナ４の上方位置にダミーセル５７１が配置されるように位置を合わせてソーラーパネル５をモジュール３の上に配置する。そして、ソーラーパネル５の上に文字板１を積層して、ケースの中に収納する。
さらに、モジュール３側からソーラーパネル５及び文字板１を貫通して文字板１の上面に突出している指針軸３１に指針２を取り付けた後、ケース上面（視認側）であって文字板１の上に透明なガラス等で形成された図示しない風防部材を装着する。これにより、時計１００の組み立てが完了する。
【００３２】
本実施形態の時計１００では、視認側から風防部材及び文字板１を透過した光がソーラーセル５０ａ〜５０ｆからなるソーラーパネル５に入射すると、光が透明電極５６を通過して半導体層５５に入射する。半導体層５５に光が入射すると、ｐ型半導体とｎ型半導体との接合部付近で電子と正孔が発生する。発生した電子と正孔は、ｎ型半導体、ｐ型半導体の方にそれぞれ移動して起電力（光起電力）が発生する。その結果、透明電極５６及び金属電極５４に接続された回路に電流が流れる。このようにしてソーラーパネル５により発電された電力は、二次電池に充電される。
また、時計１００では、風防部材及び文字板１を透過したＧＰＳ電波が円偏波アンテナ４に入射する。
前述のように円偏波アンテナ４における放射電極４２の周縁部４２ａは、導電性部材（ソーラーセル５０及びダミーセル５７１の金属電極５４、半導体層５５及び透明電極５６等）によって覆われない状態となっているため、放射パターンの広がりは阻害されず、円偏波アンテナ４は良好にＧＰＳ電波を受信することができる。
円偏波アンテナ４によって受信されたＧＰＳ電波は、モジュール３内の図示しない制御回路に送られ、制御回路は、このＧＰＳ電波に含まれる時刻情報等を用いて時計１００内部の時刻を正確な時刻に修正する。
【００３３】
以上のように、本実施形態によれば、ソーラーパネル５のうち、非導電性領域５７２を含む非発電部５７が、円偏波アンテナ４の放射電極４２に対応する位置に配置されている。
このため、放射電極４２の周縁部４２ａが導電性材料で覆われることがない。したがって、円偏波アンテナ４のアンテナ特性が劣化せず、時刻情報等を含むＧＰＳ電波を良好に受信することができる。
また、本実施形態では、ソーラーパネル５が、複数のソーラーセル５０と、円偏波アンテナ４の放射電極４２に対応する位置に配置される非発電部５７とを、共通の樹脂基板５３上に有している。
このため、円偏波アンテナに対応する部分のソーラーパネルを基板から切り欠いていた従来と異なり、非発電部５７と他の部分との間に段差や隙間が生じにくく，ひいては影や凹凸なども生じにくい。したがって、文字板１側から時計１００を視認した際にアンテナ周囲での境界線が目立ちにくくなり、時計１００のデザイン性を向上させることができる。
【００３４】
また、本実施形態では、ソーラーパネル５の非発電部５７が、放射電極４２の周縁部４２ａに沿って配置された非導電性材料からなる非導電性領域５７２と、非導電性領域５７２よりも内側に配置され、ソーラーセル５０と同様の構成を具備するダミーセル５７１とを有している。
このため、文字板１側から時計１００を視認した際に、ソーラーセル５０とダミーセル５７１とが同様の見栄えとなり、非発電部５７と他の部分との色調などの見栄えのバランスを取りやすくすることができる。さらに、非導電性領域５７２の形成にあたりダミーセル５７１の周囲の部材（金属電極５４、半導体層５５及び透明電極５６）だけをレーザー加工などで除去すれば足りるので、非発電部５７全体を除去する場合に比べて除去量を減らすことができ、ひいては、除去加工に要する時間を短縮することができる。
【００３５】
なお、本実施形態では、ダミーセル５７１と非導電性領域５７２とが隙間を介して分けられていることとしたが、図４に示すように、非導電性領域５７２を構成する非電導性材料を、ダミーセル５７１の上面にまで被覆させてもよい。このとき、非導電性領域５７２とダミーセル５７１との間には隙間を設けなくてもよい。
この場合には、ダミーセル５７１と非導電性領域５７２との境界線がより目立ちにくくなり、時計１００のデザイン性をさらに向上させることができる。
【００３６】
［第２の実施形態］
次に、図５を参照しつつ、本発明に係る電子機器の第２の実施形態について説明する。なお、本実施形態は、ソーラーパネルの構成が第１の実施形態と異なるものであるため、以下においては、特に第１の実施形態と異なる点について説明し、第１の実施形態と同一の構成のものには同一の符号を付してその説明を省略する。
【００３７】
図５は、本実施形態におけるソーラーパネルの平面図である。
図５に示すように、本実施形態のソーラーパネル５Ａは、受光部である複数のソーラーセル５０のほかに、受光・発電を行わない非発電部５７Ａを有している。
【００３８】
本実施形態の非発電部５７Ａは、第１の実施形態における非発電部５７と同様に、円偏波アンテナ４の放射電極４２に対応する位置に配置されている。但し、本実施形態の非発電部５７Ａは、非導電性材料からなり、放射電極４２に対応した形状に形成されるとともに当該放射電極４２よりも大きく形成されている。つまり、本実施形態では、非導電性材料からなる非発電部５７Ａが、放射電極４２の上方をその全面に亘って覆うように配置されている。これにより、導電性部材を含むソーラーセル５０によって放射電極４２の周縁部４２ａが覆われないようになっている。
【００３９】
また、本実施形態の非発電部５７Ａは、第１の実施形態における非導電性領域５７２と同様に、樹脂基板５３の上に積層された金属電極５４，半導体層５５及び透明電極５６を除去した後に、この除去部をソーラーセル５０と同系色の非導電性材料で目隠し印刷することによって形成されている（図３参照）。
このとき、非発電部５７Ａとソーラーセル５０との間には、僅かな隙間を設けることが好ましい。このような隙間を設けることで、非発電部５７Ａの上面とソーラーセル５０の上面との間に段差が生じた場合でも、この段差を目立ちにくくすることができる。
【００４０】
なお、その他の点については、第１の実施形態と同様であることから、その説明を省略する。
【００４１】
以上のように、本実施形態によれば、第１の実施形態と同様の効果を得ることができる。
すなわち、放射電極４２の周縁部４２ａが導電性材料で覆われることがないため、円偏波アンテナ４のアンテナ特性が劣化せず、時刻情報等を含むＧＰＳ電波を良好に受信することができる。また、共通の樹脂基板５３上に形成された非発電部５７Ａと他の部分との間に段差や隙間が生じにくいため、文字板１側から時計１００を視認した際にアンテナ周囲での境界線が目立ちにくくなり、時計１００のデザイン性を向上させることができる。
【００４２】
［第３の実施形態］
次に、図６を参照しつつ、本発明に係る電子機器の第３の実施形態について説明する。なお、本実施形態は、ソーラーパネルの構成が第１の実施形態と異なるものであるため、以下においては、特に第１の実施形態と異なる点について説明し、第１の実施形態と同一の構成のものには同一の符号を付してその説明を省略する。
【００４３】
図６は、本実施形態におけるソーラーパネルの平面図である。
図６に示すように、本実施形態のソーラーパネル５Ｂは、受光部である複数のソーラーセル５０のほかに、受光・発電を行わない非発電部５７Ｂを有している。
【００４４】
本実施形態の非発電部５７Ｂは、第１の実施形態における非発電部５７と同様に、円偏波アンテナ４の放射電極４２に対応する位置に配置されており、ソーラーセル５０と同様の構成を有する疑似的な受光部であるダミーセル５７１Ｂと、その周囲を囲う非導電性材料からなる非導電性領域５７２Ｂとを有している。但し、本実施形態の非発電部５７Ｂは、主にデザイン性を向上させる目的で、その周縁部が周期的なパターン形状に形成されており、本実施形態では、鋸歯状に形成されている。
また、本実施形態の非発電部５７Ｂでは、ダミーセル５７１Ｂの周縁部も周期的なパターン形状に形成されており、本実施形態では、非発電部５７Ｂの周縁部と同様の鋸歯状に形成されている。
つまり、本実施形態では、非導電性領域５７２Ｂとソーラーセル５０との境界線が鋸歯状に形成されており、また、非導電性領域５７２Ｂとダミーセル５７１Ｂとの境界線も鋸歯状に形成されている。
なお、非発電部５７Ｂの周縁部形状は、周期的なパターン形状であれば鋸歯状でなくともよく、例えば曲線を用いた形状であってもよい。さらに言えば、非発電部５７Ｂの周縁部形状は、アンテナ周囲での境界線を紛れさせるデザイン性を有するものであれば、周期的なパターン形状でなくともよい。
【００４５】
なお、その他の点については、第１の実施形態と同様であることから、その説明を省略する。
【００４６】
以上のように、本実施形態によれば、第１の実施形態等と同様の効果を得ることができる他、以下の効果も得ることができる。
すなわち、本実施形態では、ソーラーパネル５Ｂのうち、円偏波アンテナ４の放射電極４２に対応する位置に配置された非発電部５７Ｂの周縁部が、周期的なパターン形状に形成されている。
このため、文字板１側から時計１００を視認した際に、非発電部５７Ｂの周縁部が直線状である場合に比べてアンテナ周囲での境界線が目に付きにくくなるとともに、当該境界線をデザインの一部として紛らわせることができる。
【００４７】
なお、本実施形態では、非発電部５７Ｂがダミーセル５７１Ｂを有することとしたが、図７に示すように、非発電部５７Ｂはダミーセル５７１Ｂを有していなくてよい。つまり、非発電部５７Ｂは、第２の実施形態における非発電部５７Ａと同様に、非導電性材料からなり、放射電極４２の上方をその全面に亘って覆うように配置されていてもよい。
【００４８】
なお、本発明を適用可能な実施形態は、上述した第１〜第３の実施形態に限定されず、本発明の要旨を逸脱しない範囲で種々変形が可能であることは言うまでもない。
【００４９】
例えば、上記各実施形態では、円偏波アンテナ４を１つ設ける場合を例示したが、時計に設けられる円偏波アンテナ４の数はこれに限定されない。
円偏波アンテナ４を複数設ける場合には、放射電極４２に対応する位置に配置される全ての非発電部のダミーセルについて、放射電極４２よりも外側に張り出さない大きさとなるように大きさや形状を調整する。
【００５０】
また、上記第１，第３の実施形態では、放射電極４２に対応する位置に配置される非発電部のダミーセルが放射電極４２の周縁部４２ａよりも内側に配置される大きさに形成される場合を例示したが、例えば、放射電極４２にスリットや切欠きが形成されている場合には、ダミーセルは、これらの設けられている位置よりもさらに内側に配置される大きさに形成されることが好ましい。
【００５１】
また、ソーラーパネルの分割の仕方（分割数や分割された各ソーラーセルの形状等）は、上記各実施形態において例示したものに限定されない。
【００５２】
また、上記各実施形態では、電子機器である時計が、文字板１上において指針２を回転させて時刻等を表示させるアナログ式の時計１００である場合を例示したが、時計は、アナログ式のものに限定されない。
例えば、時刻やカレンダ情報等の各種情報を文字等により表示させる文字板（例えば、液晶表示部等）を備えるデジタル式の時計でもよい。また、アナログ式の表示部及びデジタル式の表示部の両方を備える文字板を電子機器に備えてもよい。
【００５３】
また、上記各実施形態では、本発明に係る電子機器が時計である場合を例示したが、当該電子機器はこれに限定されない。
本発明に係る電子機器は、円偏波アンテナによりＧＰＳ電波を受信して時刻情報等の各種情報を取得するものであって、ソーラーパネルにより発電を行い、発電された電力を駆動源として動作するものであればよく、例えば、歩数計、心拍計や脈拍計等の生体情報表示装置、移動距離や移動ペース情報、高度情報や気圧情報等の各種の情報を表示させる表示装置等であってもよい。
【００５４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
光透過性を有する文字板と、
前記文字板の下に配置され、放射電極を有する円偏波アンテナを含むモジュールと、
前記文字板と前記モジュールとの間に配置されるソーラーパネルと、
を備え、
前記ソーラーパネルは、複数のソーラーセルと、前記放射電極に対応する位置に配置される非発電部とを、共通の基板上に有していることを特徴とする電子機器。
＜請求項２＞
前記非発電部は、非導電性材料からなり、前記放射電極に対応した形状に形成されるとともに当該放射電極よりも大きく形成されていることを特徴とする請求項１に記載の電子機器。
＜請求項３＞
前記非発電部は、
前記放射電極の周縁部に沿って配置される非導電性材料からなる非導電性領域と、
前記非導電性領域よりも内側に配置され、前記ソーラーセルと同様の構成を具備するダミーセルと、
を有することを特徴とする請求項１に記載の電子機器。
＜請求項４＞
前記非導電性領域は、前記放射電極の周縁部に対応する位置よりも外側に配置される環帯状の外側領域と、当該位置よりも内側に配置される環帯状の内側領域とから構成されることを特徴とする請求項３に記載の電子機器。
＜請求項５＞
前記外側領域の幅が前記内側領域の幅よりも広いことを特徴とする請求項４に記載の電子機器。
＜請求項６＞
前記ダミーセルの上面に、前記非電導性領域を構成する非電導性材料が被覆されていることを特徴とする請求項３から請求項５のいずれか一項に記載の電子機器。
＜請求項７＞
前記非発電部の周縁部が周期的なパターン形状に形成されていることを特徴とする請求項１から請求項６のいずれか一項に記載の電子機器。
【符号の説明】
【００５５】
１              文字板
３              モジュール
４              円偏波アンテナ
５，５Ａ，５Ｂ  ソーラーパネル
４２            放射電極
４２ａ          周縁部
５０            ソーラーセル
５３            樹脂基板
５４            金属電極
５５            半導体層
５６            透明電極
５７，５７Ａ，５７Ｂ  非発電部
１００          時計
５７１，５７１Ｂ  ダミーセル
５７２，５７２Ｂ  非導電性領域
５７２ａ        外側領域
５７２ｂ        内側領域
Ｗａ            幅（外側領域の幅）
Ｗｂ            幅（内側領域の幅）
【図１】
0006003937.tif 000002
【図２】
0006003937.tif 000003
【図３】
0006003937.tif 000004
【図４】
0006003937.tif 000005
【図５】
0006003937.tif 000006
【図６】
0006003937.tif 000007
【図７】
0006003937.tif 000008